(57)【特許請求の範囲】
【請求項１】
高所で作業する作業者の命綱を建物の天井壁に設けられたインサートナットに連結して、該作業者の転落を防止するための命綱保持装置において、前記命綱の一端に設けられたフックを吊り下げる環状体と、該環状体を前記インサートナットに連結する部材であって、一端に該インサートナットと螺合する雄ネジ部を設け、中央部に該環状体を回転自在および摺動自在に連結する連結部を設け、他の一端に前記環状体が該部材から外れるのを阻止するための係止部を設けた連結部材と、前記環状体を該連結部材のネジ部に接近する向きに摺動させたときに該環状体を該連結部材に固定し、前記ネジ部に離反する向きに摺動させたときに該環状体を該連結部材から回転自在に連結する着脱自在な固定手段を具備することを特徴とする命綱保持装置。
【請求項２】
前記固定手段は、前記連結部に固定され、両端にコ字状嵌合部を設けた腕状部材と、前記環状体を前記雄ネジ部に接近する方向に摺動したときに、該コ字状嵌合部内で前記環状体の一部を抱込み、着脱自在に固定するホルダーとからなることを特徴とする請求項１に記載の命綱保持装置。
【請求項３】
前記固定手段は、前記連結部材に固定され、前記環状体を前記雄ネジ部に接近する方向に摺動したときに、該環状体の所定の位置に設けられた突起と嵌合する嵌合穴を具備した腕状部材と、該嵌合穴の内側に設けられ、前記環状体を着脱自在に固定する固定ブッシュとからなることを特徴とする請求項１に記載の命綱保持装置。
【請求項４】
前記固定手段は、前記連結部材に固定され、前記環状体を前記雄ネジ部に接近する方向に摺動したときに、該環状体の所定の位置に設けられた突起と嵌合する嵌合穴を具備した腕状部材と、該環状体と該連結部材の相対する面の何れかの面に設けられ、前記環状体を着脱自在に固定する磁石部とからなることを特徴とする請求項１に記載の命綱保持装置。
【請求項５】
前記命綱保持装置は、前記環状体に雄ネジ部のネジ径又はピッチの異なる連結部材を複数種類設けたことを特徴とする請求項１〜４に記載の命綱保持装置。
【請求項６】
前記命綱保持装置は、前記環状体に雄ネジ部のネジ径又はピッチの異なる２個の連結部材を中心角が略９０度をなすように設けたことを特徴とする請求項５記載の命綱保持装置。
【発明の詳細な説明】
【０００１】
【産業上の利用分野】
本願発明は、高所作業をする作業者の転落を防止する命綱保持装置に関する。
【０００２】
【従来の技術】
作業者が高所において作業する場合、例えば図１０に示すように、作業者１０１がローリングタワー１０２に登って高所で作業する場合、作業者１０１は建物の天井壁１０７に設けられたインサートナットに命綱保持装置１０６の雄ネジ部分を螺合した後、命綱１０３に固く結ばれた安全ベルト１０４を腰に装着し、一方、命綱の他端に設けられたフック１０５を命綱保持装置１０６に外れないように吊り下げて、万が一の転落の場合にも安全を図っている。
【０００３】
命綱保持装置１０６の雄ネジ部分をインサートナットに堅く螺合して命綱１０３を保持するための従来の保持装置を図１１から図１３に示してある。
図１１の命綱保持装置１０６ａは、実開平１−６８０６２号および実開平２−８２９８７号に開示された命綱保持装置で、ボルト１１０をリング１０９に固設した構成をしている。この命綱保持装置１０６ａは、同図に示すように、建物壁面１０７に埋設されたインサートナット１０８に、この命綱保持装置１０６ａのボルト１１０を螺合させて取り付け、リング１０９に命綱のフック１０５を吊り下げて使用する。
【０００４】
また、図１２は、実開昭６２−９２８４８号に開示されている命綱保持装置１０６ｂである。この命綱保持装置１０６ｂは、図１２に示すように、丸棒をリング状に形成して両端にボルト穴を設けた連結環１１６、頭１１９を設けたボルト１１７、締付片１１８及び固定ナット１２０から構成されている。ここで、連結環１１６はボルト１１７の中心軸の回りに自在に回転可能であるが、ボルト１１７の頭１１９によって外れないようになっている。締付片１１８には細長の形状をしたボルト穴（図示されていない）が設けられており、ボルト１１７に設けられた細長い断面を有する固定部（図示されていない）と嵌合して、回転トルクが伝達できるように構成されている。また、締付片１１８はナット１２０によって、ボルト１１７に固定されている。
この命綱保持装置１０６ｂをインサートナットに装着する場合は手で締付片１１８を把持し、ボルト１１７の先端をインサートナットの開口端に合わせた後、締付片１１８を手で廻して取り付ける。
【０００５】
図１３は、実開平４−１２８７６４号に開示されている命綱保持装置１０６ｃを示している。これは、図１３に示すように、フック１０５に命綱保持装置を直接設けた構成をしている。フック１０５に固定軸１２１が固定して設けられており、その固定軸１２１に回転自在および摺動自在に締付用つまみ１２４が連結されている。締付用つまみ１２４は、固定軸１２１から外れないように、頭部１２３が固定軸１２１の上端に固設されている。また、この締付用つまみ１２４には、ボルト１２２がブリッジ１２５を介して固設されている。
この命綱保持装置１０６ｃをインサートナットに装着する場合は手で締付用つまみ１２４を把持し、ボルト１２２の先端をインサートナットの開口端に合わせた後、締付用つまみ１２４を手で廻して取り付ける。
【０００６】
【発明が解決しようとする課題】
図１１に示す従来の命綱保持装置１０６ａは作業者が作業中に回転したりすると、インサートナットとボルトの螺合が緩んだりする危険があり、また、インサートナットのネジ部のネジ径やピッチが変更されたり又は複数種類ある場合は命綱保持装置全体を新たに製造又は複数種類製造しなければならないという問題がある。
【０００７】
図１２に示す命綱保持装置１０６ｂは締付片１１８の下に連結環１１６があるため、これをインサートナットに取付け、取外しするための作業は、作業者の手のひらの中に連結環１１６を入れて、締付片１１８を廻す必要がある。従って、大きなサイズの連結環が必要な場合は、（例えば、フックの種類により、大きなサイズの連結環が必要な場合もある。）取り付け作業が困難になるという問題がある。また、インサートナットとボルトが噛んだりした場合は、締付片では大きなトルクが出せないため、作業が困難になるという問題がある。さらに、図１４に示すように、１つのリングに複数のボルトを設ける場合は個々のボルトに締付片を設けるため、締付片同士がお互いに邪魔をして取付作業が困難になるという問題がある。
【０００８】
また、図１３に示す命綱保持装置１０６ｃは、ボルトの手前側（下側）にフックがあるため、取付け、取外しの作業が困難であるという問題がある。
【０００９】
この発明は上述した背景の下でなされたもので、取付け、取外しの作業が容易で、しかも作業者の動作によって螺合状態が緩んだりすることのない命綱保持装置を提供することを目的としている。
【００１０】
【課題を解決するための手段】
この発明は、上記課題を解決するために、
請求項１の命綱保持装置は、高所で作業する作業者の命綱を建物の天井壁に設けられたインサートナットに連結して、該作業者の転落を防止するための命綱保持装置において、前記命綱の一端に設けられたフックを吊り下げる環状体と、該環状体を前記インサートナットに連結する部材であって、一端に該インサートナットと螺合する雄ネジ部を設け、中央部に該環状体を回転自在および摺動自在に連結する連結部を設け、他の一端に前記環状体が該部材から外れるのを阻止するための係止部を設けた連結部材と、前記環状体を該連結部材のネジ部に接近する向きに摺動させたときに該環状体を該連結部材に固定し、前記ネジ部に離反する向きに摺動させたときに該該環状体を該連結部材から回転自在に連結する着脱自在な固定手段を具備することを特徴としている。
【００１２】
請求項２記載の発明は、請求項１記載の発明において、前記固定手段は、前記連結部に固定され、両端にコ字状嵌合部を設けた腕状部材と、前記環状体を前記雄ネジ部に接近する方向に摺動したときに、該コ字状嵌合部内で前記環状体の一部を抱込み、着脱自在に固定するホルダーとからなることを特徴としている。
【００１３】
請求項３記載の発明は、請求項１記載の発明において、前記固定手段は、前記連結部材に固定され、前記環状体を前記雄ネジ部に接近する方向に摺動したときに、該環状体の所定の位置に設けられた突起と嵌合する嵌合穴を具備した腕状部材と、該嵌合穴の内側に設けられ、前記環状体を着脱自在に固定する固定ブッシュとからなることを特徴としている。
【００１４】
請求項４記載の発明は、請求項１記載の発明において、前記固定手段は、前記連結部材に固定され、前記環状体を前記雄ネジ部に接近する方向に摺動したときに、該環状体の所定の位置に設けられた突起と嵌合する嵌合穴を具備した腕状部材と、該環状体と該連結部材の相対する面の何れかの面に設けられ、前記環状体を着脱自在に固定する磁石部とからなることを特徴としている。
【００１５】
請求項５記載の発明は、請求項１〜４記載の命綱保持装置において、前記環状体に雄ネジ部のネジ径又はピッチの異なる連結部材を複数種類設けたことを特徴としている。
【００１６】
請求項６記載の発明は、請求項５記載の命綱保持装置において、前記環状体に雄ネジ部のネジ径又はピッチの異なる２個の連結部材を中心角が略９０度をなすように設けたことを特徴としている。
【００１７】
【作用】
この発明は上記のように構成されているので以下のように作用する。
請求項１の命綱保持装置は、環状体を固定手段によって固定すると、該環状体は連結部材と一体として動作し、環状体を雄ネジ部が螺合するように回転させると、環状体の回転トルクが連結部材に伝達され、雄ネジ部の雄ネジがインサートナットに螺合する。また、その後で、固定手段の固定を外すと、該環状体は回転自在でかつ摺動自在で連結部材に連結された状態になり、環状体を回転させても、その回転トルクは連結部材の雄ネジ部には伝達されない。
【００１８】
請求項２の命綱保持装置は、さらに、環状体を雄ネジ部に接近する方向に摺動したときに固定手段が環状体を固定し、反対方向に摺動した固定が外れる。
請求項３の命綱保持装置は、ホルダーが環状体の一部分を抱え込むことによって、環状体を連結部材に固定し、保持する。このとき、環状体に作用する回転トルクは腕状部に設けられたコ字状嵌合部を介して連結部材の雄ネジ部に伝達される。
【００１９】
請求項４の命綱保持装置は、環状体に設けられた突起を固定ブッシュに挿入して、環状体を連結部材に固定し、保持する。このとき、環状体に作用する回転トルクは環状体に設けられた突起と腕状部に設けられた嵌合穴を介して連結部材の雄ネジ部に伝達される。
また、請求項５の命綱保持装置は、環状体に設けられた突起を嵌合穴に挿入すると磁石部が環状体を連結部材に固定し、保持する。このとき、環状体に作用する回転トルクは環状体に設けられた突起と腕状部に設けられた嵌合穴を介して連結部材の雄ネジ部に伝達される。
【００２０】
請求項６、７の命綱保持装置は、インサートナットのネジ径及びピッチに合致する雄ネジを選択して該装置を取り付ける。
【００２１】
【実施例】
◇第１実施例
以下、図１から図６を参照して、この発明の第１実施例を説明する。
図１は環状体１を固定手段３によって連結部材２に固定したときの第１実施例の正面図である。図２は固定手段３の固定を外したときの正面図である。図３はこの実施例の装置の組立分解図である。図４は図１におけるＡ−Ａ線からみたホルダー５の断面図である。図６はこの実施例の装置をインサートナット１２に取り付けて使用する状態を示した図である。
【００２２】
図１〜図３において、環状体１の上部には連結部材２と嵌合するための嵌合穴１ａが設けられている。環状体１と嵌合している連結部材２の一端部（図の上端部）には雄ネジ部２ａが設けられており、雄ネジ部２ａの下端には鍔（つば）２ｅが設けられている。鍔２ｅの下方に係合部２ｄが設けられており、係合部２ｄの下方には連結部２ｂが設けられている。また、連結部材２の下端には係止部２ｃが設けられている。係止部２ｃには固定ナット４が螺合されており、止めネジ６によって、固定ナットは所定の位置に堅く固定されている。
固定手段３は腕状部材３ｂからなり、腕状部材３ｂのほぼ中央に係合穴３ｄが設けられており、腕状部材３ｂの両端にはコ字状嵌合部３ａ、３ａが設けられている。コ字状嵌合部３ａの内側にはＣ字状ホルダー５が鋲７によって固定されている。
【００２３】
雄ネジ部２ａの雄ネジはインサートナット１２とネジ径、ピッチが同じネジで構成されており、インサートナットに螺合する。鍔２ｅは雄ネジ部２ａをインサートナット１２に螺合させたときに、螺合をある所でストップさせ、螺合を確実にする機能もある。
係合部２ｄは断面が円形で、腕状部材３ｂの係合穴３ｄと嵌合している。連結部２ｂは断面が円形で、環状体１の嵌合穴１ａと回転自在かつ摺動自在に嵌合している。係止部２ｃには固定ナット４が固定されており、環状体１が連結部材２から外れるのを防止している。また、固定ナット４は係止部２ｃのネジと螺合しており、止めネジ６によって固定されている。固定ナット４は、製造過程では取り外しが可能であるが、作業現場では取り外しが出来ないように堅く固定されている。
【００２４】
腕状部材３ｂは、鍔２ｅに溶接で固定されており、腕状部材３ｂに作用した回転モーメントは、そのまま雄ネジ部２ａに伝達される。
Ｃ字状ホルダー５は、バネ材等の弾性体からなり、開口端が少し開いている（図４参照）。その開口端の下に環状体１の部分を合わせて環状体１に上向きの力を加えると、Ｃ字状ホルダー５は少し開き、環状体１をホールドして固定する。ホールドした状態では、Ｃ字状ホルダー５が外側に拡がり、その外側端に作用する力（又は回転モーメント）は容易にコ字状嵌合部３ａ内側面に伝達される。
また、この状態で環状体１に下向きの力を加えると、ホールドは外れ、環状体１は回転自在かつ摺動自在の状態で、連結部２ｂと連結する。しかし、固定ナット４が連結部材２の下端に固定して設けられているため、環状体１は連結部２ｂから外れることはない。
【００２５】
実施例１の命綱保持装置は以上に様に構成されているので、以下のように作用する。
この命綱保持装置を建物天井壁に設けられているインサートナットに取付ける場合は、まず、環状体１を雄ネジ部２ａの方向に摺動させ、環状体１をホルダー５にホールドさせて固定する。次に、環状体１を片手でもって雄ネジ２ａの先端をインサートナットの開口端に合わせ、雄ネジ２ａとインサートナットが螺合するように環状体１を回転させて、取付ける。また、この装置を取外す場合は、同様に、環状体１を天井壁方向に押して、環状体１をホールダ５にホールドさせて固定する。次に、リング１を前の場合と反対方向に回転する。なお、手で廻せないような大きなトルクが必要なときは、リング１の内側に丈夫な長い金属棒等を水平に挿入し、この金属棒に回転トルクを与えて雄ネジ２ａを廻すこともできる。
【００２６】
作業を開始する際は、命綱保持装置を取付けた後、図６に示すように、フック１３を環状体１に吊り下げて、フック１３を下方に引く。すると、環状体１がホルダー５から外れ、図２に示すような状態になる。
図２に示すように、環状体１の嵌合穴１ａと連結部材２ｂは回転自在でかつ摺動自在の状態に連結されているので作業者が作業中に回転し、その結果、環状体１が回転するようなことがあっても、連結部材２には回転トルクは作用しない。また、作業中に環状体１に上向きの力は作用することはないので、作業者の知らない間にホルダー５が環状体１をホールドしてしまう危険性もない。従って、雄ネジ２ａとインサートナット１２との螺合状態が緩むことはない。
【００２７】
以上のように、この実施例の命綱保持装置を用いた場合は、天井壁のインサートナットへの取付け、取外し作業は容易であり、また、作業者が作業中に回転しても雄ネジの螺合状態が緩むことがない。
【００２８】
◇第２実施例
以下、図７、図８を参照して第２実施例を説明する。図７は、第２実施例の固定手段の部分の分解組立図である。図８はホールド状態の固定ブッシュの断面詳細図である。
第２実施例において、第１実施例と同一の部分は同一の参照番号を付して、説明を省略する。以下、主として、異なる部分について説明する。
【００２９】
図７において、環状体１には、嵌合穴１ａが環状体の上部中央に設けられており、嵌合穴の両側の所定の位置に突起ピン９、９が設けられている。部材１０は図３の腕状部材３に相当する働きをするもので、部材１０の中央には係合穴１０ｄが設けられており、部材１０の突起ピン９、９に対応する位置に、ピン９、９と嵌合する嵌合穴１０ａ，１０ａが設けられている。また、部材１０は鍔２ｅに溶接で固定されている。
さらに、図８に示すように、嵌合穴１０ａの内側には弾性体からなるリング状ブッシュ１１が設けられている。ブッシュ１１は例えば、ゴム製で、その内径は突起ピン９を挿入可能で、かつ適度の保持力が生ずるように構成されている。従って、環状体１を雄ネジ２ａの方に接近させたときは、突起ピン９がブッシュ１１に挿入され、環状体１が連結部材２に固定され一体化する。また、環状体１を下方に引っ張ったときは、突起ピン９とブッシュ１１の結合は解かれ、環状体１は回転自在かつ摺動自在の状態で連結部材２に連結される。また、この突起ピン９に回転トルクが作用すると、その回転トルクは嵌合穴１０ａの中のブッシュ１１を介して、部材１０及び連結部材２の雄ネジ２ａに伝達される。
【００３０】
第２実施例は以上のように構成されているので、以下のように作用する。
即ち、この装置を天井壁のインサートナット１２に取り付けるときは、まず、突起ピン９、９がブッシュ１１、１１に挿入するように環状体１を摺動させて、該環状体を連結部材２に固定させる。次に、固定した状態で環状体１を持って、回転させ、雄ネジ２ａをインサートナット１２に螺合させる。また、作業を開始するときは、フック１３を環状体１に吊り下げて、フック１３を下方に引っ張る。実施例２の装置を用いた場合も実施例１の場合と同様な効果を得ることができる。
【００３１】
なお、突起ピン９を環状体１に設け、嵌合穴１０ａを部材１０に設けたが、これを逆にして、部材１０にピン９を設け、環状体１に嵌合穴を設けてもよい。さらに、ブッシュ１１の代わりに部材１０又は環状体１の対向面に磁石を設けて保持力を生じる構成にしてもよい。
【００３２】
◇第３実施例
以下、図９を参照して第３実施例を説明する。第３実施例においては、第１実施例と同一の部分は説明を省略する。図９は第３実施例の命綱保持装置の正面図である。
図９において、ネジ径又はピッチの異なる２本の雄ネジ２ａ、２１ａを有する連結部材２、２１が環状体１に設けられている。図９の固定手段は第１実施例のものと同じ手段を図示しているが、第２実施例で述べた固定手段を利用してもよい。その他の構成、作用については第１実施例のものと同じであり、記載を省略する。このように、第３実施例の命綱保持装置は、ネジ径又はピッチの異なる２種類のインサートナットに対しても兼用できるという効果がある。
【００３３】
以上、この発明の実施例を図面により詳述してきたが、具体的な構成はこの実施例に限られるものではなく、この発明の要旨を逸脱しない範囲の設計の変更等があってもこの発明に含まれる。
【００３４】
【発明の効果】
以上説明したように、この発明によれば、本装置を取り付ける場合は環状体が連結部材に固定されるので、取付け作業、取外し作業が容易であり、かつ、作業時には、環状体と連結部材は回転自在、摺動自在に連結されているので、作業者の作業によって、インサートナットと雄ネジの螺合が緩むことなく、安全に作業できるという効果がある。
【図面の簡単な説明】
【図１】環状体が固定されている場合の第１実施例の正面図である。
【図２】環状体が固定されていない場合の第１実施例の正面図である。
【図３】第１実施例の組立分解図である。
【図４】図１のＡ−Ａから見たホルダーの断面図である。
【図５】図１に相当する第１実施例の平面図である。
【図６】環状体にフックを吊り下げて作業をする状態を示す図である。
【図７】第２実施例の固定手段の組立分解図をある。
【図８】第２実施例において、環状体を固定した場合の固定ブッシュの断面図である。
【図９】第３実施例の正面図である。
【図１０】作業者が高所作業する場合の説明図である。
【図１１】命綱保持装置の従来例を示す図である。
【図１２】命綱保持装置の従来例を示す図である。
【図１３】命綱保持装置の従来例を示す図である。
【図１４】命綱保持装置の従来例を示す図である。
【符号の説明】
１      環状体
１ａ      嵌合穴
２，２１      連結部材
２ａ      雄ネジ部
２ｂ      連結部
２ｃ      係止部
２ｄ      係合部
２ｅ      鍔
３      腕状部材
３ａ      コ字状嵌合部
３ｄ，１０ｄ      係合穴
４      固定ナット
５      ホルダー
６      止めネジ
７      鋲
９      突起ピン（突起）
１０      部材（腕状部材）
１０ａ      嵌合穴
１１      固定ブッシュ
１２      インサートナット
１３      フック
【図１】
0003580892.tif 000002
【図２】
0003580892.tif 000003
【図３】
0003580892.tif 000004
【図４】
0003580892.tif 000005
【図５】
0003580892.tif 000006
【図６】
0003580892.tif 000007
【図７】
0003580892.tif 000008
【図８】
0003580892.tif 000009
【図９】
0003580892.tif 000010
【図１０】
0003580892.tif 000011
【図１１】
0003580892.tif 000012
【図１２】
0003580892.tif 000013
【図１３】
0003580892.tif 000014
【図１４】
0003580892.tif 000015